(57)【要約】【課題】  支持板７と床板１との間の線膨張係数の差によるズレを可能とする床板の固定方法を提供する。【解決手段】  床構造を構成する支持板７の上に、この支持板７より熱膨脹係数の大きな床板１を積層し、この支持板７と床板１との間に弾性支持手段６を介在させ、前記床板１と支持板７との間に弾性押圧力を作用させて保持すると共に、前記支持板７と床板１との間に、前記床板１の熱膨脹による寸法変化を許容する融通性を持たせたことを特徴とする床板の固定方法。【選択図】        図１
2005226339.tif 000002
【特許請求の範囲】
【請求項１】
床構造を構成する支持板の上に、この支持板より熱膨脹係数の大きな床板を積層し、この支持板と床板との間に弾性支持手段を介在させ、前記床板と支持板との間に弾性押圧力を作用させて保持すると共に、前記支持板と床板との間に、前記床板の熱膨脹による寸法変化を許容する融通性を持たせたことを特徴とする床板の固定方法。
【請求項２】
支持板の下方に発熱部材を配置した床暖房装置において、前記支持板の上に、この支持板より熱膨脹係数の大きな床板を積層し、この支持板と床板との間に弾性支持手段を介在させ、前記床板と支持板との間に弾性押圧力を作用させて保持すると共に、前記支持板と床板との間に、前記床板の熱膨脹による寸法変化を許容する融通性を持たせたことを特徴とする床板の固定方法。
【請求項３】
床板の両縁部に第１係合部と第２係合部がそれぞれ形成されており、１枚の床板の第２係合部に他の１枚の床板の第１係合部を係合させ、この係合部の近傍を弾性支持手段を介して支持板上に弾性押圧力を作用させて保持すると共に、前記支持板に対して床板の伸長を許容する融通性を持たせたことを特徴とする請求項１あるいは２記載の床板の固定方法。
【請求項４】
前記弾性支持手段は、支持板あるいは床板の一方に固定する固定部分と、前記床板を支持板側に弾性的に押圧する弾力部分と、前記支持板に対して床板を可動的に支持する接触部分とから構成されていることを特徴とする請求項１記載の床板の固定方法。
【請求項５】
前記床暖房装置は、電熱加熱式あるいは熱媒体加熱式であることを特徴とする請求項２記載の床板の固定方法。
【請求項６】
床構造の上に発熱部材が配置され、この発熱部材の上に木材より熱膨脹係数の大きな材料からなる床板を積層し、前記発熱体構造物と床板との間に弾性支持手段を介在させ、前記床板と発熱部材との間に弾性押圧力を作用させて保持すると共に、前記発熱部材と床板との間に、前記床板の熱膨脹による寸法変化を許容する融通性を持たせたことを特徴とする床板の固定方法。
【発明の詳細な説明】
【技術分野】
【０００１】
本発明は、木片などの天然物と熱可塑性樹脂の混合体を押し出し成型や型枠成型などで製造され、熱膨脹率が通常の木材に比較して比較的大きな床板と、これを支持する部材との間の融通固定方法に関する。
【背景技術】
【０００２】
住宅の床面は床板（フローリングなど）で仕上げられているが、この床板には天然木材の床板や天然木材の薄板を積層した合板が多く使用されてきた。しかし、最近は天然木材の減少に伴なって間伐材を加工したり、製材工場などから大量に発生するオガ屑やカンナ屑などの木材屑を利用して板材などに成型する方法がいろいろと検討されている。
【０００３】
この木材屑を利用する方法の第１は、木材屑を燃料とする方法であるが、この方法は木材屑と熱可塑性樹脂などの可燃物を混合して所定の大きさの木片状に固めて燃料とするものであり、これはかなり早期に実用化されている。
【０００４】
別の木材屑の利用方法として、木材の廃棄物の木材屑や製材所で発生するオガ屑やカンナ屑などの木材屑と熱可塑性樹脂を所定の割合で混合した混合材料を原料とし、これを加熱して熱可塑性樹脂を溶融・混練して口金より押し出し、又は型枠によって成型して所定の断面形状を持つ人工木材とする方法が行なわれている。この人工木材としては例えばパーチクルボードや、このボードと他の板材とを組合わせた合板やコンパネなどがある（例えば、特許文献１参照）。
【０００５】
また、前記混合材料を押し出し成型することにより金型の吐出口に合わせた複雑な断面形状の板材を効率的に製造したり、あるいは型枠成型加工により人工木材を製造することも行なわれている。
【０００６】
この人工木材によると、例えば、板材の裏面に配線用の凹部や断面部分に断熱用あるいは弾性を与える空洞や穴を形成したり、更に隣接する人工木材の間を係合する係合部を板材の端部に形成したものを製造することが可能であることから、最近、床板として使用されるようになってきている（例えば、特許文献２，３参照）。
【特許文献１】特開２００３−９４４１１号公報
【特許文献２】特開平８−３１９７１２号公報
【特許文献３】特開平８−１６５７９０号公報
【発明の開示】
【発明が解決しようとする課題】
【０００７】
特許文献１に記載された発明は、木片を熱可塑性樹脂によって結着した芯層を中心としして、その芯層の表裏面側に熱硬化性樹脂によって結着した層を積層した木質板を提供している。しかし、この人工木材は、特に床暖房装置のように加熱された際に発生する熱膨張の問題を解決できる床板に適用できる構造を示してはいない。
【０００８】
特許文献２に記載された発明は、床暖房構造に関するもので、床板の下面に凹溝を並行して形成した床板と、その下面に温水パイプを凹溝に配置した構造用合板を基礎床面上に積層して構成したものである。この床暖房装置においては、裏面に凹溝を形成した床板を提案しているが、前記のように木材屑を使用した人工木材からなる床板に関する提案も示唆もない。また、床暖房装置の床構造を形成している床板は、室温から所定の暖房温度まで加熱されることになるが、この時の床板の熱膨張による床板と支持板との固定部分で発生する応力変化やこの応力変化に対応する問題点とその解消方法などについつては教示されていない。
【０００９】
また、特許文献３には、合板のような床表面材を貼った木質材からなる基材の裏面に凹溝を形成し、この凹溝内にコードヒーターを収容した床暖房装置の床構造を示している。しかし、この文献にも支持板ないし基材と木質材である床板との熱膨張に関係して発生する問題点と、これを解決する固定方法を開示するものではない。
【００１０】
ところで、床暖房しない通常の床構造においては、床下地材あるいは支持板の上に床板（フローリング）を敷設し、これをクギや木ネジで固定したり、あるいは接着剤によって固定する方法が採用されている。この床暖房装置は、室内の空気を攪乱も汚染もせず、更に部屋の下層部分直接に加熱することから、人体あるいは人の生活空間を限定的に、また効率的に暖房することができる点において有効である。
【００１１】
しかし、最近、この床暖房装置においては大きな問題がある。つまり、従来の床板は天然木材やその合板を使用し、これを基礎床ないし支持板上に固定している関係で、床板とこれを支持する支持板との間に熱膨張の大きさ差が発生することはなかった。しかし、熱可塑性樹脂が混合された人工木材の場合は、この熱可塑性樹脂が持つ熱膨張による影響が大きくなることが分かった。
【００１２】
この床暖房装置の構造の概要を説明すると、コンクリート床あるいは根太板などの基礎床の上に厚めの断熱材を敷き、その上に面状発熱体や温水パイプ、あるいはコードヒーターを熱源として設け、更にその上に部屋の仕上げ材として床板を敷いている。
【００１３】
従って、前記発熱体などの発熱部分と床板の表面との間にはかなりの距離があり、そのために、この床構造が一種の断熱層を形成していることになり、その結果、発熱体の温度と床板の表面温度との間に、かなりの温度差が必然的に発生する。従って、床板の表面温度を２２〜２３℃に保持しようとする場合は、床構造の下方に配置されている発熱体の温度は、少なくとも３５〜４５℃に制御しなければならないことになる。このように発熱体と床板との間には熱伝導を妨げる抵抗層が存在することになるから、この抵抗層がなるべく薄くした床構造の開発が望まれている。
【００１４】
別の問題は、木材が梅雨時と乾燥期とで水分の吸収率が異なり、梅雨時は水分を吸収して伸びることから、この時期に施工した床板と乾燥期に施工した床板とでは、床板の隙間の差がかなり変化する。この床板はクギやネジクギで固定されたり、接着材で固定されているが、クギなどの場合は施工時期に関係して緩みを生じて音が発生する。従って、この床板の固定方法は床板の施工工程において極めて重要である。
【００１５】
一方、住宅が木造からコンクリート構造へと変化し、これに対応して材木の需要が減少し、次第に山林の保護育成が経済的に見合わなくなってきており、木材資源が枯渇してきている。このような木材不足の問題から、間伐材の木片やカンナ屑や製材屑、あるは木材の廃棄物（木材屑）を再利用する方法が開発され、この木材屑に熱可塑性樹脂を混合溶融しして所定の開口断面を持つ金型より押し出して「人工木材」を製造する方法が実用化されるようになった。
【００１６】
この人工木材は、押し出し成形であることから合成樹脂成形品のように均質であること、通常の木材のように機械加工を施すことなく、材料節減用の凹溝や蓄熱材を収容する凹溝、更に縁部の連結部分などの断面に形成された床材などの建材を効率的に製造することが可能である。また、この人工木材は木材の廃棄物や合成樹脂系の廃棄物を資源として、これを再使用するものであるから資源の有効活用として重要なことである。
【００１７】
勿論、前記人工木材を床板として使用することは行なわれているが、この人工床板が加熱される床暖房装置には天然木材の水分の吸収に伴う伸縮とは異なる伸縮の問題があることが判明した。即ち、この人工床板を使用した床暖房装置は、この合成樹脂の特性を持つ人工床板の熱膨張による影響が大きいことである。
【００１８】
つまり、床暖房装置を加熱しない状態では、人工床板は通常の天然木材を使用した床板と同様に、基礎床あるいは支持板上にしっかりと固定されているが、床暖房装置を作動させて人工床板の表面温度が上昇すると、次第に伸長して一部が剥離したり、部屋の隅部が盛り上がるなとの問題が発生している。
【００１９】
基礎床あるいは支持板を構成する天然木材と人工木材との線膨脹係数は、天然木材の目方向は３．０（×１０-6／℃）であるのに対して、合成樹脂（ポリカーボネート）は６６．６であり、合成樹脂は天然木材の約２０倍もの線膨張係数を持っている。
【００２０】
従って、各種の成形品に使用されている熱可塑性樹脂が接着材として、あるいは組織の一部として混合されている人工木材の場合は、かなり大きな線膨張係数を持っていることになる。このような特性を持つ人工木材からなる床板を使用した床暖房装置には、この線膨張係数の大きさと、大きな温度変化に伴う伸縮の影響、特に床板の固定部分の剥離、床板が伸長して部屋の隅部を押圧して発生する床板の盛り上がりなどの問題があることは明らかである。
【００２１】
一方、床暖房装置を用いない場合でも通年での室温における床面温度変化は１０〜３０℃に達し、前述した問題が発生することは明らかである。
【００２２】
通常の床仕上げ工法によると、基礎床（支持板）の上に床板を配列してクギやネジクギで固定したり、あるいは接着剤で接着して基礎床と床板を一体的に固定している。しかし、この方法で固定された床板の固定力に対して、前記のように人工床板が熱膨張によってその長手方向に伸長する際に発生する力の方が遙かに大きく、その力によって床板は互いに押合って基礎床から剥離し、音を発生したり、再度、敷き直しを必要とする等の問題があるのである。
【００２３】
本発明は、熱可塑性樹脂と天然木材の粉体との混合体を原料として押し出し成型や型枠成型によって成型して得られ、熱膨脹係数が天然木材より遙に大きな人工木材からなる人工床板を使用した床構造の伸長を許容し、床板が支持板からの剥離や浮きあがりなどの欠点を防止できる固定方法を提供することを目的とするものである。
【課題を解決するための手段】
【００２４】
前記目的を達成するための本発明に係る床板の固定方法は次の通りである。
【００２５】
１）床構造を構成する支持板の上に、この支持板より熱膨脹係数の大きな床板を積層し、この支持板と床板との間に弾性支持手段を介在させ、前記床板と支持板との間に弾性押圧力を作用させて保持すると共に、前記支持板と床板との間に、前記床板の熱膨脹による寸法変化を許容する融通性を持たせたことを特徴としている。
【００２６】
２）支持板の下方に発熱部材を配置した床暖房装置において、前記支持板の上に、この支持板より熱膨脹係数の大きな床板を積層し、この支持板と床板との間に弾性支持手段を介在させ、前記床板と支持板との間に弾性押圧力を作用させて保持すると共に、前記支持板と床板との間に、前記床板の熱膨脹による寸法変化を許容する融通性を持たせたことを特徴としている。
【００２７】
３）床板の両縁部に第１係合部と第２係合部がそれぞれ形成されており、１枚の床板の第２係合部に他の１枚の床板の第１係合部を係合させ、この係合部の近傍を弾性支持手段を介して支持板上に弾性押圧力を作用させて保持すると共に、前記支持板に対して床板の伸長を許容する融通性を持たせたことを特徴としている。
【００２８】
４）前記弾性支持手段は、支持板あるいは床板の一方に固定する固定部分と、前記床板を支持板側に弾性的に押圧する弾力部分と、前記支持板に対して床板を可動的に支持する接触部分とから構成されていることを特徴としている。
【００２９】
５）前記床暖房装置は、電熱加熱式あるいは熱媒体加熱式であることを特徴としいてる。
【００３０】
６）床構造の上に発熱部材が配置され、この発熱部材の上に木材より熱膨脹係数の大きな材料からなる床板を積層し、前記発熱体構造物と床板との間に弾性支持手段を介在させ、前記床板と発熱部材との間に弾性押圧力を作用させて保持すると共に、前記発熱部材と床板との間に、前記床板の熱膨脹による寸法変化を許容する融通性を持たせたことを特徴としている。
【発明の効果】
【００３１】
上記したように本発明の床板の固定方法によれば、床構造を構成する支持板の上に、この支持板より熱膨脹係数の大きな床板（人工床板）を積層し、この支持板と床板との間に「弾性支持手段」を介して前記床板と支持板との間に弾性力を作用させて保持すると共に、両者の間に前記床板の熱膨脹による寸法変化を許容する融通性を持たせている。
【００３２】
つまり、支持板ないし基礎床に対して床板をクギやネジクギなどの固定手段や接着剤で直接に固定せず、弾性支持手段、つまり、支持板と床板との間に弾性的な押圧力で接触させ（引付け）、かつ、両板の間に人工床板の熱膨張による僅かな伸長、動き、ないし移動を許す作用を行なってその床板の長手方向あるいは幅方向の熱膨張に対する自由な動きを許容させることによって、両板の間にストレスを発生させず、従って、床板が変形したり、浮いたりするようなことを防止することができるものである。
【００３３】
冬期から夏期にかけての室温の変化は約４０℃にも及ぶ大きな範囲であり、更に、床板を積極的に加熱する床暖房装置においては、床板の温度変化は季節的な緩やかな温度変化に比較して急激であり、それに対応して床板の伸縮も大きく、特に、人口木材からなる床板の寸法変化は大きいが、本発明によればこの床板の伸縮に対応して床板の移動を許容し、床板の浮き上がりを防止することができる。
【００３４】
また、本発明は、床板を支持板に対して接着剤を使用して固定する方法を採用しないことから、接着剤が影響する環境ホルモンの発生がなく、人体に悪影響を与える危険性がなく、優れた床板の固定方法である。
【発明を実施するための最良の形態】
【００３５】
次に、図面を参照して本発明の実施の形態を説明する。
【００３６】
図９は、人工木材からなる床板１（フローリング）の１例を示す断面図であって、この床板１の本体２の一縁部には第１係合部３が、他方の縁部には第２係合部４がそれぞれ形成されている。また、この床板本体２の厚さ部分には空洞部５が形成されて軽量化と材料の節減と板材として適度な弾力性が与えられている。
【００３７】
なお、７は根太あるいはコンパネ、基礎床等の役目をする支持板である。また、図１０は前記床板１と１Ａの係合部分の構造を示すもので、床板１の第２係合部４の上に床板１Ａの第１係合部３が重ねられて係合している。
【００３８】
本発明は、前記床板１（１Ａ）の床板本体２を支持板７上に固定する方法に関するものであって、前記のように床板１の第２係合部４と床板１Ａの第１係合部３の端部を図１０のように噛合ないし係合した構造は勿論、端部同士を単に突き合わせて配置した構造の床板１（１Ａ）における長さ方向、あるいは長さ方向と幅方向の両方の伸縮を可能にした床板の固定構造に関するものである。
【００３９】
（実施例１）
図１は、根太あるいはコンパネなどの支持板６の上に載置された床板１を示しており、この床板１は木材屑（建設廃材、間伐材を微細粉としたもの）と熱可塑性樹脂（塩化ビニル系の廃材、ポリプロピレン系の廃材が主体である）の混合体（通常は約５０／５０％）を溶融して押出成形した人工木材である。そして、その端部に階段状の第２係合部４が形成されており（詳細は省略して示す）、この第２係合部４を、本発明に係る「弾性支持手段６」を採用し、その弾性力によって押圧状態で支持している。
【００４０】
この実施例における弾性支持手段６は、木ネジやクギなどの固定部材８を挿通して固定される固定部分６ａと、押圧用の弾性力を発生する弾力部分６ｂと、前記第２係合部４の面に押圧接触する接触部分６ｃで構成されている。
【００４１】
この弾性支持手段６は、床板１を弾性力で下方（支持板７側）に押圧して可動的に固定する力を発生するのに十分な数だけ支持板７などの基礎床上に設けられている。そしてこの弾性支持手段７により床板１の一方の縁部の第２係合部４を支持板７（あるいは基礎床などの支持構造）に対して弾性力で押圧しながら、この床板１の温度変化に対応する膨張に関係して支持板６に対して「長さ方向Ｌ、あるいは長さ方向Ｌと幅方向Ｂの両方」に、床板１としての機能を失うことなく、また、浮き上がりなどの違和感も与えることなく、所定の熱膨脹を許容する範囲で僅かに移動できるようになっている。
【００４２】
なお、図１０に示すように床板１の第２係合部４に対して隣接する床板１Ａの第１係合部３が嵌合しているので、両床板１、１Ａの一方の縁部が前記弾性支持手段６により弾性的に固定されているが、床板１Ａ側は前記弾性支持手段６によって支持されていないことである。
【００４３】
図１１は床暖房装置に本発明に係る床板の固定方法を実施した例を示す断面図である。コンクリート床２０上に断熱材２１を敷き、その上に発熱体組立体２２を敷き、更にその上に支持板６と人工木材からなる床板１、１Ａ、１Ｂ・・を部屋２３の幅だけ配列している。なお、２４は腰板、２５は仕切り壁、２６はコンクリート部である。
【００４４】
前記発熱体組立体２２は、アルミ板製の箱体２２ａの中にポリプロピレンなどの熱可塑性樹脂を使用したハニカム板２２ｂ（あるいは発泡シート）を敷き、その上に面状発熱体２２ｃと潜熱型蓄熱材２２ｄを敷き、更に、必要に応じて絶縁シートが積層される。この箱体２２ａは全体としてシールドになっており、この箱体２２ａを互いにシールド線で連結することによって室内全体をシールド状態とすることができる。また、面状発熱体２２ｃと潜熱型蓄熱材２２ｄとの組合わせにより、深夜電力を有効利用してこの蓄熱材２２ｄに蓄熱し、昼間に放熱させることで電力代を安価にすることができる。
【００４５】
（実施例２）
図２〜図４は第２実施例に係る弾性支持手段６Ａを示しており、この弾性支持手段６Ａはバネ鋼を断面が乙形に成形して固定部分６ｆと弾力部分６ｇと押圧接触部分６ｈが一体的に構成されている。なお、床板１Ａの第１係合部３の下面には前記弾性支持手段６Ａを配置できる凹部６ｉが形成されている。
【００４６】
この第２実施例に係るバネ鋼を使用した弾性支持手段６Ａは、バネ鋼の材質、板厚、幅そして屈曲した形状によってその弾性力を調整することができる。また、支持板７と床板１との間に弾力と滑り性があり、吸音性のあるシート１Ｂ（図２）を介在しておくことによって床板１の動きを円滑にすることができる。
【００４７】
なお、床板が大型になり、更に効果的にこの床板の伸縮を吸収させる必要がある場合は床板の支持板や根太又は根太の上に貼られたコンパネ（厚手のベニ板材など）の間に潤滑材料を塗布または下敷きにする工法や、潤滑材料を置く工法によって床板の滑り抵抗を低下させることができる。
【００４８】
（実施例３）
図５は第３の実施例に係る床板１の固定構造であり、床板１の長手方向に広幅部１０と狭幅部１１とからなる凹部１２を設けた弾性支持手段６Ｂを使用し、この弾性支持手段６Ｂとしてバネ鋼により、正面視で固定部１５の両側に２個の乙形の弾力部分と押圧接触部分１６を形成し、十分な弾力を持ったものを使用し、支持板７上にネジやクギなどの固定部材８ａで固定したものである。また、床板１と隣接する床板１Ａとの合面には凸部と凹部などの各種の係合構造を採用でき、両床板の間にゴムや合成樹脂などのパッキン１７を設けて間隙を塞いでおくのが良い。
【００４９】
この実施例３における床板の固定構造は、床板１の中間部分を固定するものであって、床板１に特殊な断面形状の凹部６ｋをこの床板１の成形工程において形成する必要があるが、この床板１の場合、押し出し成形工程によって簡単に付形することができる。
【００５０】
（実施例４）
図６は第４の実施例を示しており、第２係合部４側に長穴４０を長手方向に貫通して設け、この部分にスプリングワッシャー型の弾性支持手段４１を固定部材８ａで固定したもので、床板１は、縁部をこの弾性支持手段４１によって弾性力で押圧されながら、床暖房装置の温度変化に応じて伸縮することができるようになっている。
【００５１】
なお、小型のワッシャー型のものでは十分な弾性力を与えることが困難な場合もあるので、弾性力を発揮するのに適した形、例えば、適宜スリットを開口したり、中心部と外周部とを分割し、両者の間を傘の骨のように放射状に形成されたスプリングで連結したり、この形状を一定的にプレス加工したものを採用できる。また、ワッシャーの全体形状を円板形ではなく、楕円形や卵形にして弾性力を発生させやすい形状にしても良く、更に、スプリングを渦巻き形にすることも可能である。
【００５２】
（実施例５）
図７は第５の実施例の固定構造を示しており、弾性支持手段４３は、クギやネジクギなどで固定する固定板４４と乙形に成形されたワイヤ状のバネ部４５で構成されている。なお、この構造のものは図２〜図４に示した第２の実施例のものと同様に作用する。
【００５３】
（実施例６）
図８は第６の実施例の固定構造を示しており、この弾性支持手段５０は床板１側に固定されるバネ板５１と、支持板６上に固定されるバネ受け金５２とで構成されている。この弾性支持手段５０は、図５に示したものに比較すると、床板１の下面にこれを固定する作業と、支持板６上に床板１を重ねて配置する作業が容易となる。
【００５４】
前記したように、本発明の床板の固定方法によると、床板と、この床板を支持する支持板との間に、特に、「弾性支持手段」を介在させることによって、両者を従来の木ネジやクギによって固定したり、接着剤で固定することなく、床板と支持板との間に伸縮に伴う運動を許容できるようにしている。
【００５５】
従って、室内に敷かれた多数枚の床板が、床暖房装置の加熱に伴う熱膨張によって伸長した場合は、前記床板が支持板ないし基礎板に対して移動が制限されることもなく移動する。しかも、この床板は支持板に対して弾性力によって押圧されていることから、浮き上がりや間隙などの不具合を発生することが全くない。
【００５６】
前記のように、本発明に係る床板の固定方法ないし固定構造を採用することによって、床暖房装置の発熱に伴なって床板が膨張した場合でも、この床板の内部には、従来の固定方法のように圧縮力が発生することがないことから、床板の反りや浮きなどの欠点を全く発生することがないのである。
【００５７】
本発明に適用する床板は人工床板であるが、これは押出成形によって得られるものと、下型に形成された凹部内に溶融状態の材料を供給し、上型で押圧する金型成形方法によって得られたものであっても良い。更に、必要に応じて天然木材からなる床板の固定方法に本発明に係る弾性支持手段を適用することもできる。
【００５８】
なお、本発明は、前記実施の形態に記載したように、支持板あるいは固定部材とこれに支持される床板との接触部分において、床板（一方の部材）が支持板（他方の部材）よりも大きく膨張するするような、伸縮の差のある２つの部材の間の滑りを伴なった弾性的な固定方法が適用できる部材の間の支持手段としても有効に利用できるものである。
【図面の簡単な説明】
【００５９】
【図１】本発明に係る床板の固定構造の第１の実施例を示す斜視図であって、クリップ型の弾性固定部材で床板の縁部を支持した構造である。
【図２】バネ板からなる弾性固定部材を使用した床板の固定構造の第２の実施例を示す側面図である。
【図３】図２におけるＡ−Ａ矢視断面図である。
【図４】図２におけるＢ−Ｂ矢視断面図である。
【図５】床板側の凹部に係合させる弾性固定部材を使用した床板の固定構造の第３の実施例を示す正面図である。
【図６】ワッシャー型の弾性固定部材を使用した第４の実施例を示す斜視図である。
【図７】バネ棒を使用した弾性固定部材の第５の実施例を示す斜視図である。
【図８】バネ板と、このバネ板の受け金を組合わせた第６の実施例を示す斜視図である。
【図９】人工木材を使用した床板の正面図である。
【図１０】図９に示した床板の係合部の正面図である。
【図１１】床暖房装置の一例を示す断面図である。
【符号の説明】
【００６０】
１  床板      ２  本体      ３  第１係合部      ４  第２係合部
５  空洞部      ７  支持板      ８  固定部材
６，６Ａ，４１，４３，５０  弾性支持手段  
【図１】
2005226339.tif 000003
【図２】
2005226339.tif 000004
【図３】
2005226339.tif 000005
【図４】
2005226339.tif 000006
【図５】
2005226339.tif 000007
【図６】
2005226339.tif 000008
【図７】
2005226339.tif 000009
【図８】
2005226339.tif 000010
【図９】
2005226339.tif 000011
【図１０】
2005226339.tif 000012
【図１１】
2005226339.tif 000013